(57)【要約】【課題】  本発明は、シート基材の凹部に収容した物品を脱落させることなく、簡単に取り出すことのできるブリスター包装体を提供することを課題とする。【解決手段】  物品Ｂが収容される凹部１０の形成されたシート成形体１と、前記凹部１０内に物品Ｂが収容された状態で前記凹部１０の開口を塞ぐようにシート成形体１に貼着されたシート基材２とで構成され、前記シート成形体１からシート基材２を剥離させることで、前記開口から物品Ｂを取り出すように構成されたブリスター包装体であって、前記シート基材２は、前記凹部１０内に収容した物品Ｂを保持する保持手段２０ａを前記開口を閉塞する閉塞領域２０内に備えてなることを特徴とする。【選択図】          図１
2005035639.tif 000002
【特許請求の範囲】
【請求項１】
物品が収容される凹部の形成されたシート成形体と、前記凹部内に物品が収容された状態で前記凹部の開口を塞ぐようにシート成形体に貼着されたシート基材とで構成され、前記シート成形体からシート基材を剥離させることで、前記開口から物品を取り出すように構成されたブリスター包装体であって、前記シート基材は、前記凹部内に収容した物品を保持する保持手段を前記開口を閉塞する閉塞領域内に備えてなることを特徴とするブリスター包装体。
【請求項２】
前記保持手段は、前記物品が貼り付けられる粘着層で構成されてなる請求項１記載のブリスター包装体。
【請求項３】
前記シート成形体は、開口を同一面上に形成するように前記凹部が複数形成されるとともに、前記シート基材は、少なくとも一つ以上の閉塞領域を含むように破断可能な切断線で画された複数の開封領域を備え、開封領域毎にシート成形体から剥離できるように構成されてなる請求項１又は２記載のブリスター包装体。
【請求項４】
前記物品は、未使用時に貼着された閉塞シールで通気穴が閉ざれている一方で、使用時に閉塞シールが剥離されて通気穴から内部に空気が流入して起電するボタン型の空気電池であり、前記通気穴を閉ざした閉塞シールが前記粘着層に粘着されてなる請求項３記載のブリスター包装体。
【発明の詳細な説明】
【技術分野】
【０００１】
本発明は、ボタン電池、金具、ネジ等の小物の物品を包装するブリスター包装体に関する。
【背景技術】
【０００２】
従来から、ボタン電池、金具、ネジ等の小物の物品を包装する包装体として、物品を収容する凹部の形成されたシート成形体と、凹部内に物品を収容した状態で前記凹部の開口を塞ぐようにシート成形体に貼着されたシート基材とで構成されたブリスター包装体が知られている。
【０００３】
かかるブリスター包装体は、凹部の開口が開放されるように、シート成形体からシート基材を剥離させた後、シート成形体を変形させて、或いはそのまま開口から物品を取り出せるように構成されている。（例えば、特許文献１参照）。
【０００４】
【特許文献１】実開昭６１―１４４０６３号公報
【発明の開示】
【発明が解決しようとする課題】
【０００５】
ところで、上記ブリスター包装体は、シート成形体にシート基材を貼着することで構成されているため、シート成形体からシート基材を剥離させるのに、大きな力が必要となり、このような大きな力を作用させてシート成形体からシート基材を剥離させるに際し、シート成形体の凹部の開口が下方に向いた態様になったり、シート成形体からシート基材が突然剥がれたりする場合がある。
【０００６】
そうすると、シート成形体からシート基材を剥離させることが出来たとしても、収容されていた物品がシート基材の剥離に伴って凹部から外部に脱落してしまう場合がある。また、物品を凹部から脱落させることなく、シート基材をシート成形体から剥離させることができたとしても、凹部内に収容された物品が、上述の如きボタン電池等の小物である場合には、お年寄りや体の不自由な人が凹部からその物品を取り出すことは煩雑である。
【０００７】
そこで、本発明は、斯かる実情に鑑み、シート基材の凹部に収容した物品を脱落させることなく、簡単に取り出すことのできるブリスター包装体を提供することを課題とする。
【課題を解決するための手段】
【０００８】
本発明にかかる包装体は、上記課題を解決すべくなされたものであり、物品が収容される凹部の形成されたシート成形体と、前記凹部内に物品が収容された状態で前記凹部の開口を塞ぐようにシート成形体に貼着されたシート基材とで構成され、前記シート成形体からシート基材を剥離させることで、前記開口から物品を取り出すように構成されたブリスター包装体であって、前記シート基材は、前記凹部内に収容した物品を保持する保持手段を前記開口を閉塞する閉塞領域内に備えてなることを特徴とする。
【０００９】
上記構成のブリスター包装体によれば、前記シート成形体の凹部内に収容した物品を保持する保持手段を、シート基材が前記凹部の開口を閉塞する閉塞領域内に備えているので、シート基材をシート成形体から剥離させた際に、シート成形体の凹部内に収容状態にあった物品が前記保持手段を介してシート基材に引っ付いて凹部から取り出された態様となる。これにより、シート基材をシート成形体から剥離させるに際、或いは凹部から取り出す際に、物品が不用意に脱落してしまうのを防止した状態で容易に取り出すことができる。
【００１０】
また、前記保持手段は、前記物品が貼り付けられる粘着層で構成されてもよい。このようにすれば、物品は粘着層に粘着された態様で凹部内に収容されることになり、シート基材を剥離させた際には、物品は粘着層の粘着力により保持されたまま、シート基材に付いて凹部から取り出されることになる。したがって、保持手段として粘着層を採用すれば、簡易な構成で物品をシート基材に確実に保持させることができる。
【００１１】
また、前記シート成形体は、開口を同一面上に形成するように前記凹部が複数形成されるとともに、前記シート基材は、少なくとも一つ以上の閉塞領域を含むように破断可能な切断線で画された複数の開封領域を備え、開封領域毎にシート成形体から剥離できるように構成されてもよい。このようにすれば、開封領域のシート基材をシート成形体から剥離させようとすると、該開封領域のシート基材は、前記切断線でシート成形体に貼着された他の部分と分断されることになり、開封領域のシート基材のみを容易にシート成形体から剥離させることができる。これにより、凹部内に収容した必要な物品のみ（物品毎）に取り出すことができる。なお、切断線は、ミシン目や、他の部分よりも薄肉になるように形成された溝等を採用することができる。
【００１２】
さらに、本発明の一態様として、前記物品は、未使用時に貼着された閉塞シールで通気穴が閉ざれている一方で、使用時に閉塞シールが剥離されて通気穴から内部に空気が流入して起電するボタン型の空気電池であり、前記通気穴を閉ざした閉塞シールが前記粘着層に粘着されることが好ましい。空気電池は、補聴器等の電源として使用される非常に小さい物品である。そのため、補聴器等を利用する機会の多いお年寄りや体の不自由な人が空気電池を取り扱うには煩雑であるが、該空気電池を上記構成のブリスター包装体で包装すれば、開封領域をシート成形体から剥離させるだけで、それらの人々であっても空気電池を脱落させることなく当該ブリスター包装体（シート成形体）の凹部から容易に取り出すことができる。
【００１３】
また、空気電池の通気穴を塞ぐ閉塞シールは、空気電池のサイズに対応して非常に小さいため、空気電池を使用すべく、空気電池から閉塞シールを剥がそうとしても剥がしにくく、その作業は煩雑であるが、上記構成のブリスター包装体によれば、閉塞シールが前記粘着層に粘着（貼着）されているので、シート基材（開封領域）をシート成形体から剥離させた状態で、空気電池をシート基材から取ることで、閉塞シールが粘着層に保持されたまま、空気電池のみをシート基材（閉塞シール）から剥がすことができる。
【００１４】
つまり、開封領域は、閉塞領域を含んだシート成形体に貼着された領域であるので、閉塞領域（凹部の開口）よりも広い領域（閉塞領域内の粘着層に貼着された閉塞シールよりも広い領域）である。これにより、シート成形体から剥離された開封領域のシート基材は、粘着層を介して閉塞シールが貼着された空気電池からはみ出て把持し易い態様をなし、前記閉塞シールを大判にしたものとして機能する。したがって、開封領域内の閉塞領域で貼着状態にある空気電池から、シート基材を介して閉塞シールを容易に剥離させることができ、高齢者や体の不自由な人でも空気電池を使用態様に容易にすることができる。
【発明の効果】
【００１５】
以上のように、本発明にかかる包装体によれば、物品が収容される凹部の形成されたシート成形体と、前記凹部内に物品が収容された状態で前記凹部の開口を塞ぐようにシート成形体に貼着されたシート基材とで構成され、前記シート成形体からシート基材を剥離させることで、前記開口から物品を取り出すように構成されたブリスター包装体であって、前記シート基材は、前記凹部内に収容した物品を保持する保持手段を前記開口に対応した領域内に備えているので、シート基材の凹部に収容した物品を脱落させることなく、簡単に取り出すことができるという優れた効果を奏し得る。
【発明を実施するための最良の形態】
【００１６】
以下、本発明の一実施形態にかかるブリスター包装体について、添付図面を参酌しつつ説明する。なお、本実施形態において、ブリスター包装体に収容する物品の一例として空気電池を採用して説明する。
【００１７】
本実施形態にかかるブリスター包装体の説明に先立って、空気電池について概略説明すると、空気電池は、ボタン型の電池（ボタン電池）の一種で空気流通用の通気穴が設けられている。該空気電池は、未使用時において閉塞シールが貼着されて通気穴が塞がれて起電しないようになっている一方で、使用時において閉塞シールを剥がすことで、通気穴を介して空気が流入して起電するように構成されている。
【００１８】
図１は、本実施形態にかかるブリスター包装体の全体斜視図であり、図２は、図１のＸ−Ｘ断面図である。本実施形態にかかるブリスター包装体は、図１及び図２に示す如く、前記空気電池Ｂを収容する凹部１０の形成されたシート成形体１と、前記凹部１０内に空気電池Ｂを収容した状態で、シート成形体１の凹部１０の開口を閉じるようにシート成形体１に貼着されたシート基材２とで構成されている。
【００１９】
前記シート成形体１は、平面視略矩形状の厚さ０．１ｍｍ〜０．５ｍｍ程度のポリエステルやポリプロピレン等の合成樹脂シート（本実施形態においては透明な合成樹脂シート）を真空成形、圧空成形、或いはプレス成形し、合成樹脂シートの一方の面から他方の面側に向けて膨出させることで前記凹部１０が形成されている。本実施形態にかかる凹部１０は、空気電池Ｂの平面形状に対応して平面視円形に形成されている。
【００２０】
該シート成形体１は、前記凹部１０が複数（本実施形態においては六つ）形成されており、凹部１０の開口が一方の面（同一面）上に形成されている。該複数の凹部１０は、マトリックス状に配設されており、本実施形態において、シート成形体１の短手方向に二列、長手方向に三行をなすように形成されている。
【００２１】
前記シート基材２は、厚さ１０μｍ〜１００μｍの二軸延伸ポリエステルフィルムや、延伸ポリプロピレン等の合成樹脂シートで構成されており、前記シート成形体１よりもやや大きな平面視矩形状に形成されている。
【００２２】
該シート基材２は、シート成形体１の周縁から周縁部がはみ出た状態でシート成形体１の一方の面に貼り合せることができるように、ホットメルト接着剤等の接着剤Ａが前記シート成形体１の平面に対応する一方の面の領域内に塗布等して積層されている。なお、接着剤Ａは、シート基材２の全面に積層してもよく、シート成形体１と接する部分のみに塗布したものでもよい。
【００２３】
また、該シート基材２は、上述の如くシート成形体１に貼着した状態で、該シート成形体１の凹部１０の開口に対応する一方の面における領域、すなわち、凹部１０の開口を閉塞する領域２０（以下、この領域を閉塞領域という）内に保持手段としての粘着層２０ａが形成されている。
【００２４】
前記閉塞領域２０は、凹部１０の開口形状に対応して円形をなしており、凹部１０の開口径と略同一である。該閉塞領域２０に形成された粘着層２０ａは、粘着性を有しており、凹部１０内に収容される空気電池Ｂ（空気電池Ｂに貼着された閉塞シールＳ）が粘着するようになっている。なお、本実施形態において粘着層２０ａは、閉塞シールＳに対する粘着力が、前記空気電池Ｂに対する閉塞シールＳの貼着力よりも大きく設定されている。
【００２５】
また、該シート基材２は、各凹部１０の開口毎に開放して開封状態にできるように、各凹部１０に対応する閉塞領域２０を含んだ複数の領域２２（以下、開封領域という）毎にシート成形体１から剥離できるようになっている。すなわち、該ブリスター包装体は、シート基材２の全てをシート成形体１から剥離することなく、シート基材２の各凹部１０に対応した開封領域２２毎に独立して剥離して、各凹部１０に収容された空気電池Ｂを個別に取り出せるように構成されている。
【００２６】
具体的に説明すると、シート基材２の前記開封領域２２は、長手方向と直交する方向（短手方向）で端縁から閉塞領域２０に至るまでの部分がシート成形体１から剥離できるように、一カ所の閉塞領域２０を包囲したＵ字状の切断線２１によって、シート基材２の他の部分と画されており、短手方向の端部、及び前記閉塞領域２０を除いてシート成形体１に貼着状態をなしている。
【００２７】
すなわち、開封領域２２は、前記閉塞領域２０を含んだ領域であり、シート基材２における開封領域２２の境界には、凹部１０（閉塞領域２０）の外形の一部（半分）に即して半円弧状をなす切断線２１ａ（以下、円弧切断線２１ａという）と、該円弧切断線２１ａの各端からシート基材２の短手方向の端縁まで延びる直線状をなす一対の切断線２１ｂ，２１ｂ（以下、直線切断線２１ｂ，２１ｂという）とで構成された前記Ｕ字状の切断線２１が設けられている。これにより、シート成形体１に対して非貼着部分であるシート基材２の短手方向の一方の端部であって、前記一対の直線切断線２１ｂ，２１ｂ間（開封領域２２の非貼着部分）を把持した状態で、他方の端部に向けてシート成形体１から剥離させることで、シート基材２が前記一対の直線切断線２１ｂ，２１ｂ、及び前記円弧切断線２１ａで破断するように構成されている。なお、本実施形態にかかるＵ字状の切断線２１は、ミシン目により構成されている。
【００２８】
以上構成のブリスター包装体から所望する凹部１０内の空気電池Ｂを取り出すには、開封領域２２（該凹部１０に対応するＵ字状の切断線２１の直線切断線２１ｂ，２１ｂ間）におけるシート基材２の短手方向の一方の端部を把持する。そして、図３（イ）に示す如く、その把持した部分をシート成形体１から離間させて開封領域２２のシート基材２をシート成形体１から引き剥がすと、これに伴ってＵ字状の切断線２１（前記一対の直線切断線２１ｂ，２１ｂ、及び円弧切断線２１ａ）が破断し、Ｕ字状の切断線２１で包囲されていた開封領域２２が切除された態様となる。
【００２９】
そうすると、前記円弧切断線２１ａは、閉塞領域２０の外形に即して半円弧状に形成されているので、シート成形体１に貼着状態にあるシート基材２に対し、前記閉塞領域２０も開封領域２２の一部として切除されることになり、閉塞領域２０内の粘着層２０ａに閉塞シールＳが粘着された空気電池Ｂは、粘着層２０ａ及び閉塞シールＳを介して開封領域２２のシート基材２に付いた状態で、凹部１０から取り出された状態となる。
【００３０】
そして、図３（ロ）に示す如く、空気電池Ｂを切除された開封領域２２のシート基材２から取る（空気電池Ｂから開封領域２２を捲り取る）と、上述の如く、閉塞シールＳの貼着力よりも粘着層２０ａの粘着力の方が大きいので、閉塞シールＳは、開封領域２２（閉塞領域２０）に粘着したままで維持し、その一方で、空気電池Ｂは、閉塞シールＳから剥離された状態となる。この状態で、空気電池Ｂは、通気穴から空気が流入できる状態となって起電し、各種機器に電源として装填できることになる。
【００３１】
以上のように、上記構成のブリスター包装体は、シート成形体１の凹部１０の開口を閉塞するシート基材２の閉塞領域２０内に保持手段としての粘着層２０ａを設けたので、該シート基材２に空気電池Ｂがついたまま、シート基材２をシート成形体１から剥離させることができ、小型の空気電池Ｂを容易に取り出すことができる。
【００３２】
また、シート基材２の平面サイズをシート成形体１よりも大きく設定し、シート成形体１に貼着した状態で、周縁部がシート成形体１の周縁からはみ出るように構成したので、シート基材２の端縁部を把持し易く、これによって、シート基材２をシート成形体１から簡単に剥離させることができる。
【００３３】
さらに、シート成形体１に複数の凹部１０を形成したので、空気電池Ｂを複数収容することができる。さらに、シート基材２にＵ字状の切断線２１を設けたので、該Ｕ字状の切断線２１により画された開封領域２２を、各凹部１０毎に引き剥がすことができ、空気電池Ｂを必要に応じて個別に取り出すことができる。
【００３４】
また、閉塞シールＳを剥離することで、起電する空気電池Ｂを凹部１０に収容し、閉塞シールＳを前記粘着層２０ａに粘着させるようにしたので、空気電池Ｂを凹部１０から容易に取り出すことができることは勿論のこと、凹部１０から取り出した空気電池Ｂが閉塞シールＳよりも大きな開封領域２２に貼着された態様となり、閉塞シールＳを空気電池Ｂから簡単に剥離させることができる。また、シート基材２に設けた粘着層２０ａにより、空気電池Ｂが保持された状態で流通されるため、凹部１０内で空気電池Ｂが移動することなく、空気電池Ｂに衝撃が加わることを防止できる。
【００３５】
尚、本発明のブリスター包装体は、上記実施形態に限定されるものではなく、本発明の要旨を逸脱しない範囲内において種々変更を加え得ることは勿論である。
【００３６】
すなわち、上記実施形態において、空気電池Ｂを包装するようにしたが、凹部１０に収容される物品は、空気電池Ｂに限定されるものではなく、例えば、他種類のボタン電池や、金具、電子部品、ネジ、釘等の小物の物品であってもよい。該ブリスター包装体は、凹部１０内で移動して物品が破損してしまうことを防止できるので、衝撃に弱い小型の物品等に有効である。この場合、凹部１０は、収容する物品の形状に即して形成することが好ましい。
【００３７】
上記実施形態において、一つの閉塞領域２０を含むように開封領域２２を切断線２１で画すようにしたが、これに限定されるものではなく、開封領域２２は、閉塞領域２０を一つ以上含むように構成すればよい。
【００３８】
上記実施形態において、シート成形体１に複数の凹部１０を形成するようにしたが、これに限定されるものではなく、凹部１０は、一つ以上あればよい。凹部１０を一つだけ設けた場合には、切断線２１で開封領域２２を画すことなく、シート基材２そのものを開封領域としてシート成形体１から剥離させるようにしてもよい。
【００３９】
上記実施形態において、シート基材２を開封領域２２毎に剥離させるべく、切断線２１をミシン目で構成したが、これに限定されるものではなく、例えば、切断線の部分が周辺の厚みより薄くなるように、当該切断線を溝で構成するようにしてもよい。
【００４０】
上記実施形態において、シート基材２のサイズをシート成形体１よりも大きく設定し、シート基材２の外周縁部がシート成形体１の外周端縁からはみ出るようにしてシート基材２のみを把持し易くしたが、これに限定されるものではなく、例えば、シート基材２とシート成形体１との平面サイズを略同一、或いはシート基材２をシート成形体１よりもやや小さくしてもよい。この場合、シート基材２をシート成形体１から剥離させやすいように、シート成形体１に対してシート基材２の外周縁部を貼着しないことが好ましい。
【００４１】
ただし、シート基材２の全面をシート成形体１の一方の面に貼着する場合には、例えば、図４に示す如く、シート成形体１の端縁部の一部を把持部４１として切除できるように、ミシン目等の切断手段４０を設け、シート基材２をシート成形体１から剥離させるに際し、シート成形体１をミシン目４０で破断させて把持部４１とシート基材２とを一緒に把持したまま、シート基材２をシート成形体１から剥離させるようにすればよい。該シート成形体１の把持部４１の形状は、種々の形状を採用することができる。
【００４２】
上記実施形態において、シート成形体１の凹部１０に収容された物品（空気電池Ｂを）を保持する保持手段として粘着層２０ａをシート基材２に設けるようにしたが、これに限定されるものではなく、例えば、物品を係止する爪を形成するようにシート基材２をシート成形体１と同様に真空成形、圧空成形、或いはプレス成形するようにしてもよい。すなわち、凹部１０内に収容した物品を保持する保持手段は、シート基材２をシート成形体１から剥離させるに際し、凹部１０に収容された物品がシート基材２に付いてくるように構成されていれば、種々態様のものを採用することができる。
【図面の簡単な説明】
【００４３】
【図１】本発明の一実施形態にかかるブリスター包装体の全体斜視図を示す。
【図２】図１のＸ−Ｘ断面図を示す。
【図３】同実施形態にかかるブリスター包装体の開封工程の説明図であって、（イ）は、開封領域のシート基材をシート成形体から剥離させた状態を示し、（ロ）は、剥離された開封領域のシート基材から空気電池を取り外した状態を示す。
【図４】他実施形態にかかるブリスター包装体の全体斜視図を示す。
【符号の説明】
【００４４】
１…シート成形体、２…シート基材、１０…凹部、２０…閉塞領域、２０ａ……粘着層（保持手段）、２１…切断線、２１ａ…切断線（円弧切断線）、２１ｂ…切断線（直線切断線）、２２…開封領域、４０…切断手段（ミシン目）、４１…把持部、Ｂ…空気電池（物品）、Ｓ…閉塞シール
【図１】
2005035639.tif 000003
【図２】
2005035639.tif 000004
【図３】
2005035639.tif 000005
【図４】
2005035639.tif 000006